(57)【要約】【課題】  チップ基板における上面に左右一対の端子電極３，４を形成し，前記チップ基板における上面のうち前記一対の端子電極の間の部分につづら折りにした抵抗膜５を形成して成るチップ抵抗器において，両端子電極と抵抗膜との間における抵抗膜の長手方向に沿っての印刷ずれを，抵抗値の変化を招来することなく許容する。【解決手段】  前記一対の端子電極３，４における内側面３ａ，４ａを，前記チップ基板における左右両側面のうち一方の側面２ａから他方の側面２ｂに向かって斜め外向きに傾斜して，この傾斜状の内側面のうち前記抵抗膜５に近い部分に対して，前記抵抗膜の両端面から外向きに一体に延びる細幅部７，８を電気的に接続する。【選択図】                      図１
2007005373.tif 000002
【特許請求の範囲】
【請求項１】
チップ基板における上面に左右一対の端子電極を形成し，前記チップ基板における上面のうち前記一対の端子電極の間の部分に，つづら折り状にした抵抗膜を形成して成るチップ抵抗器において，
前記一対の端子電極における内側面を，前記チップ基板における左右両側面のうち一方の側面から他方の側面に向かって斜め外向きに傾斜して，この傾斜状の内側面のうち前記抵抗膜に近い部分に対して，前記抵抗膜の両端面から外向きに一体に延びる細幅部を電気的に接続して成ることを特徴とするチップ抵抗器。
【請求項２】
前記請求項１の記載において，前記一対の端子電極における傾斜状の内側面を，互いに平行又は略平行にすることを特徴とするチップ抵抗器。
【請求項３】
チップ基板における上面に左右一対の端子電極を形成する工程と，前記チップ基板における上面のうち前記一対の端子電極の間に部分に，つづら折り状にした抵抗膜を形成する工程とを備えて成り，前記一対の端子電極を形成する工程が，当該端子電極における内側面を前記チップ基板における左右両側面のうち一方の側面から他方の側面に向かって斜め外向きに傾斜して形成する工程であり，前記抵抗膜を形成する工程が，当該抵抗膜の両端面から外向きに一体に延びる細幅部を前記端子電極における傾斜状の内側面のうち前記抵抗膜に近い部分に対して電気的に接続して形成する工程であることを特徴とするチップ抵抗器の製造方法。
【発明の詳細な説明】
【技術分野】
【０００１】
本発明は，チップ型にした絶縁基板の上面に抵抗膜を形成して成るチップ抵抗器のうち，耐サージ特性を向上したチップ抵抗器と，その製造方法とに関するものである。
【背景技術】
【０００２】
一般に，チップ型にした絶縁基板の上面に抵抗膜を形成して成るチップ抵抗器においては，静電気や電源ノイズ等の影響で発生するサージ電圧が印加した場合に，その抵抗値が変化し易いというように耐サージ特性が低い欠点がある。この耐サージ特性は，抵抗膜における電気が流れる経路の長さを長くすることによって改善できることが知られている。
【０００３】
そこで，従来は，セラミック等の耐熱絶縁体製のチップ基板における上面のうち長手方向に沿った左右両端の部分に，端子電極を形成する一方，前記チップ基板の上面のうち前記端子電極の間の部分に，両端が前記両端子電極に電気的に接続されるように形成される抵抗膜を，つづら折り状にすることによって，抵抗膜における電気が流れる経路の長さを長くするようにしている。
【０００４】
しかし，この構成であると，前記つづら折り状の抵抗膜及び両端子電極の両方をスクリーン印刷にて形成するに際にして，前記抵抗膜における長手方向の両端面が，前記抵抗膜と両端子電極との間における抵抗膜の長手方向に沿った相対的な印刷ずれのために，前記両端子電極の内側面にその間に放電が発生するように近接したり，前記両端子電極の内側面に対して重なったりするおそれがある。
【０００５】
そこで，先行技術としての特許文献１及び特許文献２は，図４に示すように，長方形にしたチップ基板３１における上面に，左右一対の端子電極３２，３３を形成し，前記チップ基板３１における上面のうち前記一対の端子電極３２，３３の間の部分に，複数本の入り込み溝３５を設けることでつづら折り状にした抵抗膜３４を形成して成るチップ抵抗器において，前記一対の端子電極３２，３３における内側面３２ａ，３３ａのうち前記チップ基板３１における一方の側面３１ａに隣接する部分に，前記抵抗膜３４に向かって突出する凸部３５，３６を一体的に設ける一方，前記抵抗膜３４の長手方向の両端に外向きに一体に延びる細幅部３７，３８を設けて，この細幅部３７，３８を，前記一対の端子電極３２，３３における凸部３５，３６に重ねて電気的に接続することで，前記一対の端子電極３２，３３における内側面３２ａ，３３ａと前記抵抗膜３３における長手方向の両端面３４ａ，３４ｂとの間に，所定の電極間距離（前記した抵抗膜の長手方向に沿った相対的な印刷ずれのために，両者が放電を発生する程度にまで近接したり，或いは，接触したりすることがない距離）を確保するという構成にすることにより，前記抵抗膜３４とその両端の一対の端子電極３２，３３との間における抵抗膜３４の長手方向に沿っての相対的な印刷ずれによって発生する弊害を回避することを提案している。
【特許文献１】特開２０００−２１６００１号公報
【特許文献２】特開２００２−２０３７０２号公報
【発明の開示】
【発明が解決しようとする課題】
【０００６】
ところで，前記一対の端子電極３２，３３のスクリーン印刷は，殊更文献を提示するまでもなく従来から良く知られているように，チップ基板３１の上面に，当該端子電極の形状通りにした抜き孔を穿設して成る印刷用スクリーンを重ね，この印刷用スクリーンの上面に供給した材料ペーストを，スキージにて前記抜き孔内に充填したのち，前記印刷スクリーンをチップ基板より剥離撤去するという方法であることにより，この一対の端子電極３２，３３の各々前記凸部３５，３６を一体的に設けるには，前記印刷スクリーンにおける抜き孔には，この凸部３５，３６を形成するための凸部用切欠部を設けることによって行われる。
【０００７】
しかし，前記チップ基板に重ねた印刷用スクリーンを，その上面で材料ペーストのスキージを行ったのちチップ基板より剥離・撤去するときにおいて，この印刷用スクリーンが，その抜き孔における凸部用切欠部内の一部に材料ペーストが残った状態で剥離・撤去されることになるから，前記凸部用切欠部にて形成される凸部３５，３６は，所定の形状通りにならずに，前記図４に二点鎖線Ａ，Ｂで示すように，例えば，特に隅部が大きく欠けるというように，いびつで且つ不揃いの形状になる頻度が高い。
【０００８】
前記凸部３５，３６が，図４に二点鎖線Ａ，Ｂで示すように，いびつで且つ不揃いの形状になることによって，抵抗膜３４のうち両端子電極３２，３３間における実質的な有効長さが，当初予定していた所定有効長さＬから，Ｌ０になるように変化するから，前記抵抗膜３４における全抵抗値も変化することになる。
【０００９】
要するに，前記したように，一対の端子電極３２，３３の内側面３２ａ，３３ａの各々に凸部３５，３６を設けて，この凸部３５，３６に，前記抵抗膜３３から外向きに一体に延びる細幅部３７，３８を電気的に接続するという構成にした場合においては，前記凸部３５，３６の形状が，前記したように，いびつで且つ不揃いの形状になる頻度が高いことにり，前記抵抗膜３４における全抵抗値に，大きなバラツキが発生するという問題があった。
【００１０】
本発明は，この問題を解消したチップ抵抗器とその製造方法とを提供することを技術的課題とするものである。
【課題を解決するための手段】
【００１１】
この技術的課題を達成するため本発明の請求項１は，
「チップ基板における上面に左右一対の端子電極を形成し，前記チップ基板における上面のうち前記一対の端子電極の間の部分に，つづら折り状にした抵抗膜を形成して成るチップ抵抗器において，
前記一対の端子電極における内側面を，前記チップ基板における左右両側面のうち一方の側面から他方の側面に向かって斜め外向きに傾斜して，この傾斜状の内側面のうち前記抵抗膜に近い部分に対して，前記抵抗膜の両端面から外向きに一体に延びる細幅部を電気的に接続して成る。」
ことを特徴としている。
【００１２】
本発明の請求項２は，
「前記請求項１の記載において，前記一対の端子電極における傾斜状の内側面を，互いに平行又は略平行にする。」
ことを特徴としている。
【００１３】
また，本発明の製造方法は，請求項３に記載したように，
「チップ基板における上面に左右一対の端子電極を形成する工程と，前記チップ基板における上面のうち前記一対の端子電極の間に部分に，つづら折り状にした抵抗膜を形成する工程とを備えて成り，前記一対の端子電極を形成する工程が，当該端子電極における内側面を前記チップ基板における左右両側面のうち一方の側面から他方の側面に向かって斜め外向きに傾斜して形成する工程であり，前記抵抗膜を形成する工程が，当該抵抗膜の両端面から外向きに一体に延びる細幅部を前記端子電極における傾斜状の内側面のうち前記抵抗膜に近い部分に対して電気的に接続して形成する工程である。」
ことを特徴としている。
【発明の効果】
【００１４】
このように，前記一対の端子電極における内側面をチップ基板における一方の側面から他方の側面に向かって斜め外向きに傾斜し，この傾斜状内側面のうち前記抵抗膜に近い部分に対して，前記抵抗膜の両端面から外向きに一体に延びる細幅部を電気的に接続するという構成にしたことにより，前記一対の端子電極及び前記抵抗膜の各々におけるスクリーン印刷の際に，その相互間に抵抗膜の長手方向に沿っての印刷ずれが存在しても，前記一対の端子電極における内側面と前記抵抗膜における両端面との間に，一対の端子電極における内側面を斜め外向きに傾斜した分だけ，前記印刷ずれを許容するに十分な電極間距離を確保することができる。
【００１５】
つまり，本発明によると，一対の端子電極における内側面に，前記従来のように凸部を一体に設けることなく，当該内側面を斜め外向きに傾斜するだけで，この内側面と抵抗膜の両端面との間に所定の電極間距離（前記した抵抗膜の長手方向に沿った相対的な印刷ずれのために，両者が放電を発生する程度にまで近接したり，或いは，接触したりすることがない距離）を確保することができる。
【００１６】
そして，前記一対の端子電極は，その内側面を斜め外向きに傾斜するだけで良いことにより，前記端子電極をスクリーン印刷にて形成するときにおいて，その内側面を，所定の形状に極く近似して形成することができるから，前記した抵抗膜の長手方向に沿った相対的な印刷ずれに起因して，抵抗膜における有効長さが変化すること，換言すると，抵抗膜における全抵抗値に不揃いができることを僅少にできて，抵抗値のバラツキを大幅に低減できる。
【００１７】
特に，請求項２に記載したように，前記一対の端子電極における傾斜状の内側面を，互いに平行又は略平行にすることにより，前記一対の端子電極及び前記抵抗膜の各々におけるスクリーン印刷の際に，その相互間に抵抗膜の長手方向と直角な方向への相対的な印刷ずれが存在しても，この直角な方向への相対的な印刷ずれのために，前記抵抗膜における有効な長さが変化すること，ひいては，抵抗膜における全抵抗値が変化することを確実に回避することができる。
【発明を実施するための最良の形態】
【００１８】
以下，本発明の実施の形態を，図１〜図３の図面について説明する。
【００１９】
図１及び図２は，第１の実施の形態によるチップ抵抗器１を示す。
【００２０】
このチップ抵抗器１は，長方形にしたセラミック製のチップ基板２と，このチップ基板２における上面のうち長手方向の両端にスクリーン印刷にて形成した端子電極３，４と，前記チップ基板１における上面のうち前記一対の端子電極３，４の間の部分に，長手方向に延びるようにスクリーン印刷にて形成した抵抗膜５とから成り，前記抵抗膜５は，その長手方向の左右両側面から入り込み溝６をスクリーン印刷のとき同時に交互に設けるか，スクリーン印刷後におけるトリミング加工にて交互に設けることによって，その長手方向の一端面５ａから他端面５ｂとの間をつづら折り状に構成されている。
【００２１】
そして，前記一対の端子電極３，４における内側面３ａ，４ａを，前記チップ基板２における長手方向の左右両側面２ａ，２ｂのうち一方の側面２ａから他方の側面２ｂに向かって斜め外向きの方向に傾斜する一方，前記抵抗膜５における一端面５ａ及び他端面５ｂの各々に，外向きに一体に延びる細幅部７，８を設けて，この各細幅部７，８を，前記一対の端子電極３，４における傾斜状の内側面３ａ，４ａのうち前記抵抗膜５に近い部分，つまり，チップ基板２における一方の長手側面２ａに隣接する部分に，重ねて電気的に接続するという構成にする。
【００２２】
なお，図１及び図２において，符号９は，前記抵抗膜５の全体を覆うように形成されるカバーコートを，符号１０，１１は，前記チップ基板２の裏面に形成した端子電極を，そして，符号１２，１３は，前記チップ基板２の両端面２ｃ，２ｄに，上面側の端子電極３，４と，下面側の端子電極１０，１１とを電気的に接続するように形成した側面端子電極を各々示す。
【００２３】
この構成において，前記一対の端子電極３，４における内側面３ａ，４ａは，チップ基板２における一方の側面２ａから他方の側面２ｂに向かって斜め外向きに傾斜しており，この傾斜状内側面３ａ，４ａのうち前記抵抗膜５に近い部分に対して，前記抵抗膜５における左右両端面５ａ，５ｂから外向きに一体に延びる細幅部７，８が，重なって電気的に接続されていることにより，前記一対の端子電極３，４及び前記抵抗膜５の各々におけるスクリーン印刷の際に，その相互間に抵抗膜５の長手方向に沿っての印刷ずれが存在しても，前記一対の端子電極３，４における内側面３ａ，４ａと前記抵抗膜５における両端面５ａ，５ｂとの間に，一対の端子電極３，４における内側面３ａ，４ａを斜め外向きに傾斜した分だけ，前記印刷ずれを許容するに十分な電極間距離を確保することができる。
【００２４】
そして，前記一対の端子電極３，４は，その内側面３ａ，４ａを斜め外向きに傾斜するだけで良いことにより，前記端子電極３，４をスクリーン印刷にて形成するときにおいて，その内側面３ａ，４ａを，所定の形状に極く近似して形成することができるから，前記した抵抗膜５の長手方向に沿った相対的な印刷ずれに起因して，抵抗膜５における有効長さＬが変化すること，換言すると，抵抗膜５における全抵抗値に不揃いができることを僅少にできる。
【００２５】
次に，図３は，第２の実施の形態によるチップ抵抗器１′を示す。
【００２６】
このチップ抵抗器１′は，長方形にしたセラミック製のチップ基板２′と，このチップ基板２′における上面のうち長手方向の両端にスクリーン印刷にて形成した端子電極３′，４′と，前記チップ基板２′における上面のうち前記一対の端子電極３′，４′の間の部分に，長手方向に延びるようにスクリーン印刷にて形成した抵抗膜５′とから成り，前記抵抗膜５′は，その長手方向の左右両側面から入り込み溝６′をスクリーン印刷のとき同時に交互に設けるか，スクリーン印刷後におけるトリミング加工にて交互に設けることによって，その長手方向の一端面５ａ′から他端面５ｂ′との間をつづら折り状に構成されている。
【００２７】
前記一対の端子電極３′，４′のうち一方の端子電極３′における内側面３ａ′を，前記チップ基板２′における長手方向の左右両側面２ａ′，２ｂ′のうち一方の側面２ａ′から他方の側面２ｂ′に向かって斜め外向きの方向に傾斜する一方，前記一対の端子電極３′，４′のうち他方の端子電極４′における内側面４ａ′を，前記チップ基板２′における長手方向の左右両側面２ａ′，２ｂ′のうち他方の側面２ｂ′から一方の側面２ａ′に向かって斜め外向きの方向に傾斜する。
【００２８】
この場合において，前記一方の端子電極３′における傾斜状の内側面３ａ′と，他方の端子電極４′における傾斜状の内側面４ａ′とを，互いに平行又は略平行になるように構成する。
【００２９】
そして，前記一方の端子電極３′における傾斜状の内側面３ａ′のうち前記抵抗膜５′に近い部分，つまり，チップ基板２′における一方の長手側面２ａ′に隣接する部分に，前記抵抗膜５′における一端面５ａ′に外向きに一体に延びるように設けた細幅部７′を重ねて電気的に接続する一方，前記他方の端子電極４′における傾斜状の内側面４ａ′のうち前記抵抗膜５′に近い部分，つまり，チップ基板２′における他方の長手側面２ｂ′に隣接する部分に，前記抵抗膜５′における他端面５ｂ′に外向きに一体に延びるように設けた細幅部８′を重ねて電気的に接続するという構成にする。
【００３０】
この構成によると，前記第１の実施の形態の場合と同様に，一対の端子電極３′，４′及び前記抵抗膜５′の各々におけるスクリーン印刷の際に，その相互間に，抵抗膜５′の長手方向に沿っての印刷ずれが存在しても，前記一対の端子電極３′，４′における内側面３ａ′，４ａ′と前記抵抗膜５′における両端面５ａ′，５ｂ′との間に，一対の端子電極３′，４′における内側面３ａ′，４ａ′を斜め外向きに傾斜した分だけ，前記印刷ずれを許容するに十分な電極間距離を確保することができる。
【００３１】
しかも，前記一対の端子電極３′，４′は，その内側面３ａ′，４ａ′を斜め外向きに傾斜するだけで良いことにより，前記端子電極３′，４′をスクリーン印刷にて形成するときにおいて，その内側面３ａ′，４ａ′を，所定の形状に極く近似して形成することができるから，前記した抵抗膜５′の長手方向に沿った相対的な印刷ずれに起因して，抵抗膜５′における有効長さＬ′が変化すること，換言すると，抵抗膜５′における全抵抗値に不揃いができることを僅少にできる。
【００３２】
これに加えて，前記一方の端子電極３′における傾斜状の内側面３ａ′と，他方の端子電極４′における傾斜状の内側面４ａ′とが，互いに平行又は略平行であることにより，一対の端子電極３′，４′及び前記抵抗膜５′の各々におけるスクリーン印刷の際に，その相互間に，抵抗膜５′の長手方向と直角の方向への印刷ずれが存在しても，この直角な方向への相対的な印刷ずれのために，前記抵抗膜５′における有効な長さＬが変化すること，ひいては，抵抗膜５′における全抵抗値が変化することを確実に回避することができる。
【図面の簡単な説明】
【００３３】
【図１】第１の実施の形態によるチップ抵抗器を示す平面図である。
【図２】図１のII−II視断面図である。
【図３】第２の実施の形態によるチップ抵抗器を示す平面図である。
【図４】従来のチップ抵抗器を示す平面図である。
【符号の説明】
【００３４】
１，１′                      チップ抵抗器
２，２′                      チップ基板
２ａ，２ａ′                  チップ基板の一方の側面
２ｂ，２ｂ′                  チップ基板の他方の側面
３，３′，４，４′            端子電極
３ａ，３ａ′，４ａ，４ａ′    端子電極の内側面
５，５′                      抵抗膜
５ａ，５ａ′                  抵抗膜の一端面
５ｂ，５ｂ′                  抵抗膜の他端面
６，６′                      入り込み溝
７，７′                      細幅部
８，８′                      細幅部
【図１】
2007005373.tif 000003
【図２】
2007005373.tif 000004
【図３】
2007005373.tif 000005
【図４】
2007005373.tif 000006